(57)【特許請求の範囲】
【請求項１】
すずめっき鋼板を炭酸水素ナトリウム水溶液中で陰極電解処理、または、硫酸水溶液浸漬処理した後、硫酸ジルコニウム水溶液中で陰極電解処理し、続いて水洗または温水洗浄した表面処理鋼板において、すずめっき層上の酸化すずが電解剥離法による測定で０．７ｍｃ／ｃｍ２以上、３．５ｍｃ／ｃｍ２以下であり、さらにその上にフッ素、硝酸性窒素を含まないジルコニウム換算で１ｍｇ／ｍ２以上、３０ｍｇ／ｍ２以下のジルコニウム化合物からなるクロムフリー皮膜が形成され、かつ、クロムフリー皮膜中に残留している硫酸根（SO42-）の量が０.２ｍｇ／ｍ２以上、７ｍｇ／ｍ２以下であることを特徴とする環境への負荷の少ない容器材料用表面処理鋼板。
【請求項２】
請求項１記載の環境への負荷の少ない容器材料用鋼板を用いたことを特徴とする環境への負荷の少ない容器材料用ラミネート鋼板。
【請求項３】
請求項１記載の環境への負荷の少ない容器材料用鋼板を用いたことを特徴とする環境への負荷の少ない容器材料用塗装プレコート鋼板。
【発明の詳細な説明】
【技術分野】
【０００１】
本発明は、表面処理金属材料に関し、より詳しくは、鋼板の下地処理に際して、クロム、フッ素、硝酸性窒素を含む処理液を用いない環境への負荷が少ない容器材料用鋼板と、これを用いたラミネートフィルムあるいは塗料等の有機樹脂被膜との密着性、および、デント衝撃後の耐鉄溶出性に優れた環境への負荷の少ない容器材料用ラミネート鋼板および容器材料用塗装プレコート鋼板に関する。
【背景技術】
【０００２】
鋼板、亜鉛系めっき鋼板、亜鉛合金板、すず系めっき鋼板、アルミニウム合金板等の金属材料と有機膜との密着性を向上させる処理として、クロメート処理、リン酸塩処理、シランカップリング剤による処理などが従来から知られている。中でも、クロメート処理はその優れた耐食性と密着性から家電製品、建材、車両、金属容器などの分野で広く利用されてきたが、廃棄時に有害物質である６価クロムが土壌等に溶出して汚染する可能性が指摘されていることから、既に欧州を中心にクロメート処理を撤廃する方向にある。
【０００３】
容器用金属材料では、すずめっき鋼板を重クロム酸ソーダの水溶液中で陰極電解する、あるいは、鋼板をフッ化物含有無水クロム酸水溶液中で陰極電解処理したりする、皮膜中に６価クロムが残存しないタイプのクロメート処理が利用されているが、処理層中に６価クロムを含まないタイプのクロメート処理でも処理液そのものには６価クロムが含まれていることから、６価クロムを無害化して排水及び排気処理する必要があり、環境への負荷の面からは、処理液中にも６価クロムを含まない表面処理の方が望ましい。
また、フッ素、ホウ素、硝酸性窒素なども環境への負荷の面からは好ましくなく将来的に排出基準が強化される方向であることから、容器用金属材料の処理液中にも上記物質が含まれないことが望ましい。
【０００４】
そこで、環境への負荷軽減策のひとつとしてクロムフリー化がある。容器材料用のクロムフリー型表面処理としては、スズめっき鋼板を加工したスズめっき面にカーボンを主成分とする有機化合物と無機リン化合物とからなる有機−無機複合皮膜を有する耐食性と塗料密着性に優れるスズめっきスチール製缶の表面処理方法の例として特許文献１が、アルミ缶またはぶりきＤＩ缶の塗装・印刷前表面処理液として、リン酸イオンとジルコニウム化合物およびチタン化合物の少なくとも１種を含み、かつ、酸化剤とフッ酸およびフッ化物の少なくとも１種を含有するＤＩ缶表面処理液の例として特許文献２が知られている。
【特許文献１】特開平１１-２６４０７５号公報
【特許文献２】特開平７-４８６７７号公報
【発明の開示】
【発明が解決しようとする課題】
【０００５】
従来、飲料缶、および、食缶用途用の金属容器は、製缶後に内外面の塗装焼付処理を行うのが一般的であったが、近年、飲料缶、あるいは、食缶用の金属材料として、フィルムを予め鋼板に熱ラミネートした鋼板や、鋼板に予め印刷焼付塗装を行ったプレコート鋼板が用いられることが多くなってきた。
【０００６】
ＤＩ成形やＤＲＤ成形による製缶加工では、缶壁にしごき力が働くことから、ラミネート鋼板や塗装プレコート鋼板タイプの容器用金属材料を製缶すると、樹脂皮膜と鋼板の密着力が十分でない場合には樹脂皮膜が剥離し易い。また、内容物を充填した後に行われる加熱殺菌処理（レトルト処理）では、高温高圧下で水が樹脂皮膜中に浸透し、より密着性が低下し易いため、最悪の場合、樹脂皮膜の浮きや、発錆に至る場合もある。
【０００７】
本発明が解決しようとする課題は、従来のクロメート処理を施した容器材料用鋼板と同等のラミネートフィルムあるいは塗料等の有機樹脂被膜との密着性、および、デント衝撃後の耐鉄溶出性に優れたクロメートフリータイプの容器材料用鋼板を提供することである。
【０００８】
また、クロム化合物と同様にフッ化物、および、硝酸性窒素を含む処理液は、排水処理に際してクロム化合物と同様に排水処理設備を要し、多大なコストと時間を費やして無害化処理する必要があり、環境面からも、処理液中にフッ化物や硝酸性窒素化合物を含まない方がより望ましいことから、上記の密着性、耐鉄溶出性とあわせて、その製造工程において、より設備投資負荷、操業コスト負荷、環境負荷の少ないフッ化物および硝酸性窒素を含まないクロメートフリータイプの容器材料用鋼板を提供することが、本発明が解決しようとするもうひとつの課題である。
【課題を解決するための手段】
【０００９】
本発明者らは、上記の課題を解決するために、ブリキ鋼板を用いた場合のクロメートフリー下地処理する前の事前表面処理方法とブリキ鋼板に最適なクロメートフリー下地処理の方法について鋭意検討した結果、設備投資負荷、操業コスト負荷、環境負荷のより少ないフッ化物および硝酸性窒素を含まないクロメートフリータイプの容器材料用鋼板が得られることを見出したものである。
【００１０】
すなわち、本発明は、
（１）すずめっき鋼板を炭酸水素ナトリウム水溶液中で陰極電解処理、または、硫酸水溶液浸漬処理した後、硫酸ジルコニウム水溶液中で陰極電解処理し、続いて水洗または温水洗浄した表面処理鋼板において、すずめっき層上の酸化すずが電解剥離法による測定で０．７ｍｃ／ｃｍ２以上、３．５ｍｃ／ｃｍ２以下であり、さらにその上にフッ素、硝酸性窒素を含まないジルコニウム換算で１ｍｇ／ｍ２以上、３０ｍｇ／ｍ２以下のジルコニウム化合物からなるクロムフリー皮膜が形成され、かつ、クロムフリー皮膜中に残留している硫酸根（SO42-）の量が０.２ｍｇ／ｍ２以上、７ｍｇ／ｍ２以下であることを特徴とする環境への負荷の少ない容器材料用鋼板、
（２）（１）記載の環境への負荷の少ない容器材料用鋼板を用いたことを特徴とする環境への負荷の少ない容器材料用ラミネート鋼板、
（３）（１）記載の環境への負荷の少ない容器材料用鋼板を用いたことを特徴とする環境への負荷の少ない容器材料用塗装プレコート鋼板、
である。
【発明の効果】
【００１１】
本発明の環境への負荷の少ない容器材料用鋼板は、従来のクロメート処理を施した容器材料用鋼板と同等のラミネートフィルムあるいは塗料等の有機樹脂被膜との密着性、および、デント衝撃後の耐鉄溶出性を有しており、かつ、その処理液中に、クロム化合物、フッ化物、および、硝酸性窒素を含まないため、これら環境負荷の高い物質を排水する際必要な無害化処理を行う必要がなく、環境面から見て、より、環境負荷が少ないクロメートフリータイプの容器材料用鋼板であり、食品安全性と工業的に生産性に優れているので極めて工業的価値が高い。
【発明を実施するための最良の形態】
【００１２】
本発明の環境への負荷の少ない容器材料用鋼板は、少なくとも缶内面となる側の鋼板表面が、すずめっき層または鉄―すず合金層を有しており、さらに、その上にフッ化物または硝酸性窒素を含まないジルコニウム化合物からなるクロムフリー接着下地処理層が形成されていることを特徴としており、特に、クロムフリー接着下地処理を施す前に、炭酸水素ナトリウム溶液中での陰極電解処理、または、硫酸浸漬処理を行うことによって、すず層または鉄―すず合金層上の酸化すず層を電解剥離法による測定で０．７ｍｃ／ｃｍ２以上、３．５ｍｃ／ｃｍ２以下とし、クロムフリー接着下地処理皮膜中の硫酸根（SO42-）の量を０.２ｍｇ／ｍ２以上７ｍｇ／ｍ２以下とすることを特徴とする。
以下、発明を実施するための最良の形態について、述べる。
【００１３】
＜鋼板＞
本発明に用いる鋼板の種類は特に限定されるものではなく、従来から容器用材料にもちいられているブリキ、ＴＦＳ用原板と同じのもので構わない。
【００１４】
＜すずめっき＞
食品用途に適用が可能なめっき種は、食品安全衛生、製造性等を満足させることが必要であり、現実的に利用可能なめっき種としては、すず、アルミニウム、ニッケルなどが適当な候補として挙げられる。本発明で環境への負荷の少ない容器材料用鋼板として用いる容器材料用クロムフリー鋼板において、すずめっきを用いる理由としては、缶詰用途における使用実績が高く食品安全衛生性上問題がなく、耐食性に優れていること、成形性に優れること、他のめっきに比べて比較的安価であること、等が挙げられる。
【００１５】
本発明に用いるすずめっき鋼板は、通常の電気メッキぶりき鋼板でよく、鉄−すず合金化処理（リフロー処理）を施してあってもよい。すずめっき量は、フィルムラミネートまたは塗装後のデント部の鉄溶出を抑制する観点から、０．５〜１２．０ｇ／ｍ２の範囲であることが望ましい。すずめっき量が０．５ｇ／ｍ２未満の場合、デント後の鉄溶出量が多くなり、耐食性が低下するので、好ましくない。また、すずめっき量が１２．０ｇ／ｍ２を超えても、性能上特に支障はないが、製造工程ですずがロール等に凝着堆積しやすくなり、押疵の原因になったりすることや、必要以上にめっきコストがかさむので好ましくない。
【００１６】
＜酸化すず除去処理＞
本発明の環境への負荷の少ない容器材料用鋼板は、すずめっき層または鉄―すず合金層の上にフッ素または硝酸性窒素を含まない硫酸ジルコニウム水溶液中で陰極電解処理することによって得られるジルコニウム化合物からなるクロムフリー接着下地処理層を形成させることを特徴する。しかし硫酸ジルコニウム水溶液を用いた場合でも、後述するようにジルコニウム化合物の付着量が不安定となることから塗装密着性が低下する場合があった。そこで発明者らはめっき板表面の酸化すず層に着目し、酸化すずの量とジルコニウム化合物の関係を調査した。
【００１７】
図１は、硫酸浸漬処理時間を変えた酸化すず除去処理を行ったすずめっき鋼板（すず付着量片面２．８ｇ／ｍ２）に後述する硫酸ジルコニウム電解処理を行いジルコニウム化合物皮膜を形成した場合の酸化すず量とジルコニウム換算の皮膜付着量を示した図である。図１から分かるように、すずめっき上の酸化すず量が、電解剥離法による測定で３．５（ｍｃ/ｃｍ２）までは、ジルコニウム化合物皮膜の付着量は安定しているが、酸化すず量が、３．５（ｍｃ/ｃｍ２）を超えるとジルコニウム化合物皮膜の付着量が全体的に少なくなるのと同時に付着量のばらつきが大きくなることが分かる。これは、酸化すず層が厚く存在するようになると、ジルコニウム皮膜の濡れ性が低下して、ジルコニウム皮膜が均一に付着しなくなるためと考えられる。
【００１８】
すずめっき層または鉄―すず合金層上のジルコニウム化合物の付着状態が、不均一だと、ラミネートフィルムあるいは塗料との密着性にムラが生じ、フィルムラミネート後または塗装後の鋼板を製缶加工した際にフィルムや塗料が剥げたり、缶体にデント衝撃が加わった際にフィルムが剥離しやすくなる等の不良が発生しやすくなる。
【００１９】
そこで、発明者らは、錫メッキ鋼板の残存酸化錫量がジルコニウム化合物下地処理したフィルムラミネート錫メッキ鋼板のフィルム剥離強度に与える影響を調査した。その結果を図２に示す。この時使用したラミネート鋼板は、片面２．８ｇ／ｍ２の錫メッキ鋼板に炭酸ジルコニウムアンモニウムの浸漬処理を行ったクロメートフリー下地処理鋼板であり、鋼板の両面に２０μｍ厚の無延伸共重合ポリエステルフィルムを熱ラミネートすることによって得たものである。
フィルムの剥離強度は、フィルムラミネート鋼板をレトルト処理用の蒸気釜に入れ、１２５℃で９０分間レトルト殺菌処理したもので測定した結果である。
錫メッキ鋼板の酸化錫量は、未処理の錫メッキ鋼板から適宜酸化錫除去処理した錫メッキ鋼板の下地処理前の電解剥離法で測定した酸化錫量である。
【００２０】
図２から分るように、錫メッキ上の酸化錫量が、３．５（ｍｃ/ｃｍ２）までは、剥離強度は、安定しているが、酸化錫量が、３．５（ｍｃ/ｃｍ２）を超えると急激にフィルムの剥離強度が低下することが分る。
錫メッキ上の酸化錫量が３．５（ｍｃ/ｃｍ２）以下の場合は、部分的に酸化錫が少ない箇所があると考えられることから、酸化錫の少ない部分でジルコニウム化合物を介してフィルムが強固に接着していると考えられる。一方、錫メッキ上の酸化錫量が３．５（ｍｃ/ｃｍ２）を超えたあたりから、酸化錫層で錫メッキが一面覆われるため、脆弱な酸化錫層から容易に剥離するようになると考えられる。
【００２１】
以上の結果から、すずめっき層または鉄―すず合金層上のジルコニウム化合物の付着状態を安定化させるために、ジルコニウム付着処理を行う直前に、すずめっき鋼板の酸化すず層を電解剥離法による測定で３．５ｍｃ／ｃｍ２以下になるレベルまで除去する処理を行う。酸化すず層の厚みが電解剥離法による測定で３．５ｍｃ／ｃｍ２を越えると加工や衝撃が加わった際に残存している酸化すず層から凝集破壊しやすくなり、フィルムや塗料の密着性が著しく低下するので、好ましくない。
【００２２】
すずめっき層または鉄―すず合金層上に生成している酸化すず層を除去する方法としては、炭酸水素ナトリウム溶液中での陰極電解処理を行うのが、短時間で確実に酸化すず層が除去され、かつ、すずの溶け出しも殆どないので、最も好ましい方法である。
【００２３】
フィルムや塗料の密着性向上の観点からは、酸化錫層が全く存在しないのが好ましいが、酸化錫層を完全に除去しても、錫は酸素が多少でも存在すると直ぐに最表面が酸化するので、錫メッキ表面に酸化錫が全くない状態のままフィルムラミネートや塗装を行うことは、通常の設備では困難であり、たとえ実現できても製造コストがかさむため好ましい方法とは言えない。
【００２４】
錫メッキ上の酸化錫層は、０．０１ｍｃ／ｃｍ２まで除去すれば実質的に酸化錫層がない状態と同等の密着性が得られるので、酸化錫層は０．０１ｍｃ／ｃｍ２から３．５ｍｃ／ｃｍ２の範囲であるのが好ましい。
【００２５】
その他のすずめっき層または鉄―すず合金層上に生成している酸化すず層を除去する方法としては、硫酸水溶液中に浸漬する方法が好ましいが、硫酸浸漬法では、酸化すず除去処理後に十分な水洗を行わないと硫酸分が残留して塗膜密着性が劣化する場合もあるので、注意が必要である。
【００２６】
なお、電解剥離法は、定電流クロメトリの原理を応用して、試験片の定電流電解を行い、電解剥離に伴う 試験片の電位変化をペンレコーダーに記録し、電解時間−電位曲線により、電気量、即ち、表面錫の付着量や酸化膜を計測する方法である。
【００２７】
＜ジルコニウム化合物処理＞
本発明では、すずめっき鋼板上のすず層または鉄―すず合金層上の酸化すず層を炭酸水素ナトリウム溶液中での陰極電解処理、または、硫酸溶液中に浸漬する方法によって、電解剥離法による測定で３．５ｍｃ／ｃｍ２以下になるレベルまで酸化すず層除去処理した後、フッ素または硝酸性窒素を含まない硫酸ジルコニウム水溶液中で陰極電解処理することによって得られるジルコニウム化合物からなるクロムフリー接着下地処理層を形成させることを特徴とするが、ジルコニウム化合物を接着下地処理剤として用いる理由としては、すずめっき鋼板表面をジルコニウムの水和酸化物で被覆することによって、クロメート処理と同様にジルコニウムの水和酸化物と樹脂被覆層に含まれる水酸基との間での水素結合を生成させて樹脂皮膜との密着性を向上させることを狙ったものである。
【００２８】
発明者らは、ジルコニウム化合物と同様の効果を期待して、種々の金属系酸化物についてもクロムフリー接着下地処理剤としての適性を検討したが、ジルコニウム化合物によるクロムフリー接着下地処理が最も樹脂皮膜との密着性（特にレトルト処理後の２次密着性）に優れていることを見出したものである。ジルコニウム化合物を陰極電解処理によって付着させる方法で用いるフッ素または硝酸性窒素を含まない金属塩としては、炭酸塩、硫酸塩、ハロゲン化塩などが考えられるが、硫酸ジルコニウムが、水溶液として安定しており、また、工業的に容易に入手可能であり最も好ましい。
【００２９】
フッ素または硝酸性窒素を含まずにジルコニウム化合物をクロムフリー接着下地処理層として形成させる方法としては、通常はフッ化ジルコニウム化合物水溶液中での陰極電解処理による方法が一般的であるが、フッ化物浴は排水処理の負荷が高いことから、本発明では、フッ化ジルコニウム化合物の代わりに硫酸ジルコニウムを用いて、陰極電解処理することを考案したものである。しかしながら、硫酸化合物の陰極電解処理で皮膜を形成させる方法の場合、電解処理後水洗しても皮膜中に硫酸根（SO42-）が残留し、残留した硫酸根の影響によって、塗膜の密着性が低下することが一般的に知られている。
【００３０】
本発明では、硫酸化合物の陰極電解処理による塗膜密着性劣化の課題に対して、すずめっき鋼板上のすず層または鉄―すず合金層上の酸化すず層を炭酸水素ナトリウム溶液中での陰極電解処理、または、硫酸溶液中に浸漬する方法で、電解剥離法による測定で３．５ｍｃ／ｃｍ２以下になるレベルまで酸化すず層除去処理し、更にその上に、硫酸ジルコニウム水溶液中で陰極電解処理しジルコニウム化合物皮膜を形成させることによって、硫酸化合物の陰極電解処理皮膜であっても塗膜密着性に優れる接着下地皮膜ができることを見出したものである。ここでジルコニウム換算のジルコニウム化合物皮膜付着量の適正範囲をレトルト後のウェットＴピール強度を指標として図３で説明する。図３から分かるように、ジルコニウム化合物皮膜の付着量が３０ｍｇ／ｍ２を超えると皮膜が脆くなり、塗装密着力が低下するので好ましくない。また、ジルコニウム化合物皮膜の付着量が１ｍｇ／ｍ２未満の場合、皮膜が薄過ぎて塗装焼付処理によってすずが酸化しやすくなり、塗装密着力が低下するので、好ましくない。
【００３１】
また、硫酸ジルコニウム水溶液中で陰極電解処理することによって形成されたジルコニウム化合物皮膜中には微量の硫酸根（SO42-）が残留するが、この残留硫酸根（SO42-）が多いと前述のレトルト後のウェットＴピール強度が劣化する。ジルコニウム化合物皮膜中の残留硫酸根（SO42-）量とレトルト後のウェットＴピール強度を図４に示す。ジルコニウム化合物皮膜中に残存する硫酸根（SO42-）の量が７ｍｇ／ｍ２以下の条件であれば、図４から分かるようにレトルト処理後のラミネート鋼板としてのフィルム密着性の劣化が少なくなり好ましい。
【００３２】
硫酸ジルコニウム水溶液中で陰極電解処理した後、水洗あるいは温水洗浄することにより、ジルコニウム化合物皮膜中に残留する硫酸根（SO42-）の量を低減するが、水洗あるいは温水洗浄を強化してもジルコニウム化合物皮膜中に残留する硫酸根（SO42-）を完全に除去するのは困難であるので、水洗洗浄の負担が大きくならない範囲で洗浄すればよい。温水洗浄行った場合の残留硫酸根（SO42-）の量は０．２ｍｇ／ｍ２程度であるので、ジルコニウム化合物皮膜中に残留する硫酸根（SO42-）の量は、好ましくは、０．２ｍｇ／ｍ２以上７ｍｇ／ｍ２以下の範囲で管理するのが良い。
【００３３】
酸化すず層除去処理を行ったすずめっき鋼板を硫酸ジルコニウム水溶液中で陰極電解処理することによって、すずめっき上の界面ｐＨが上昇し、ジルコニウムが酸化物としてすずめっき上に沈積すると考えられるが、硫酸ジルコニウム水溶液のｐＨは、２．５を超えるとジルコニウム化合物の溶解性が悪くなり、陰極電解処理でスラッジとして大量に析出してしまうため、好ましくない。また、硫酸ジルコニウム水溶液のｐＨが０．６未満の場合、ジルコニウム化合物が析出し難くなるので好ましくない。硫酸ジルコニウム水溶液のｐＨの下限を調整する目的で、K+、Na+、NH4+、Mg2+、アミン類等のカチオン種をもつアルカリ性化合物を添加してもよい。また、硫酸ジルコニウム水溶液のｐＨの上限の調整には硫酸を適量添加して調整すれば良い。
【００３４】
次にジルコニウム化合物皮膜を形成するにあたり、硫酸ジルコニウム水溶液濃度とジルコニウム換算のジルコニウム化合物皮膜付着量の適正範囲を図５で説明する。また硫酸ジルコニウム水溶液濃度とジルコニウム化合物皮膜外観（ムラ）の関係を図６に示す。図５から分かるように、硫酸ジルコニウム水溶液の濃度が５ｍｇ／ｌより薄いと陰極電解処理でジルコニウム化合物が析出しにくく１ｍｇ／ｍ２のジルコニウム換算の皮膜量を確保できないので好ましくない。また、図６から分かるように硫酸ジルコニウム水溶液の濃度が１０ｇ／ｌを超えると陰極電解処理した際、ジルコニウム化合物の析出むらが出やすくなり、皮膜外観判定基準の２，３の良好レベルを確保できなくなるので、好ましくない。加えて、硫酸ジルコニウム水溶液の濃度が濃いと、連続通板時の液持ち出しにより見かけのジルコン消費量が多くなり経済的でないため好ましくない。このような理由から、硫酸ジルコニウム水溶液の濃度は、５ｍｇ／ｌから１０ｇ／ｌが好ましく、より好ましくは、下限については図５からジルコニウム化合物皮膜量が安定する１０ｍｇ／ｌ以上、上限については図６から皮膜外観判定基準の３の良好レベルを確保できるように上限を１ｇ／ｌとする。
硫酸ジルコニウム水溶液の温度は、１０℃から７０℃程度の範囲であれば、ジルコニウム化合物の析出性、および、作業性上の問題ないが、３０℃〜５０℃の範囲であればジルコニウム化合物がより析出効率が高く、かつ、蒸発による濃度変動が少なく好ましい。
【００３５】
尚、処理槽および配管系統などをクロムフリー下地処理以外の処理にも使用している場合、処理工程をクロムフリー下地処理に切替てもフッ素または硝酸性窒素が、不可避的に混入する場合があるが、フッ素または硝酸性窒素を含まないレベルとしては、クロムフリー接着下地処理層内にフッ素または硝酸性窒素が５ｍｇ／ｍ２以下であることが好ましく、５ｍｇ／ｍ２以下の含有レベルであれば実質的にフッ素または硝酸性窒素を用いて処理をしていないと言え、その処理液排水処理も従来の電解クロム酸処理の廃液処理設備で処理可能であり、廃液処理装置にかかる負荷は電解クロム酸処理液よりはるかに少なく廃液処理コストは無視できるレベルである。
【００３６】
処理液をすずめっき鋼板上に塗布した後は、水分を蒸発させるために乾燥させるのが好ましい。乾燥方法は、自然乾燥でも、加熱乾燥でも良い。
【実施例】
【００３７】
実施例、比較例を通じ、各評価試験は下記のように行った。
１．酸化すず層厚測定
以下、実施例および比較例で示す酸化すず層厚は、すずめっき鋼板を陽極として、０．０１％のＨＢｒ水溶液中で１ｍＡで定電流電解剥離した時の酸化すず層が除去されるまでの電解剥離時間から電気量を算出し、単位面積当りの電解剥離に要した電気量として表示（ｍｃ／ｃｍ２）として表示した。
【００３８】
２．下地処理剤付着量測定
下地処理後の下地剤付着量の測定は、蛍光Ｘ線吸収スペクトル測定により、ジルコニウム化合物皮膜中のジルコニウム量を測定し、単位面積当りの量として表示（ｍｇ／ｍ２）した。また、下地処理皮膜中に残留している硫酸根（SO42-）の量は、蛍光Ｘ線吸収スペクトル測定によって皮膜中の硫黄の量を測定して、SO4の量に換算して表示（ｍｇ／ｍ２）した。
【００３９】
３．フィルムラミネート
実施例および比較例で調整した鋼板の表裏面をすずの融点より７℃低い２２５℃に加熱し、両面に２０μｍ厚の無延伸共重合ポリエステル（テレフタル酸／イソフタル酸（重量比８８／１２）とエチレングリコールからなる共重合ポリエステル（融点２２８℃））フィルムを、ラミネートロール温度１５０℃、通板速度１５０ｍ／分で熱ラミネートし直ちに、水冷することにより、フィルムラミネート鋼板を得た。
【００４０】
４．レトルト処理
フィルムラミネート鋼板をレトルト処理用の蒸気釜に入れ、１２５℃で９０分間レトルト殺菌処理を行った。
【００４１】
５．フィルム剥離強度測定
未処理、および、レトルト処理後のフィルムラミネート鋼板を図７に示すような形状に専用打抜き金型を用いて打抜き、試験片幅が広がっている部分のフィルムに１５ｍｍ幅、長さ３０ｍｍ以上の鋼板面まで達する疵を入れる。
試験片幅が１５ｍｍから３０ｍｍに広がる部分の鋼板を専用金型プレスを用いて、幅方向にフィルムを残して切断し、試験片幅１５ｍｍの部分を試験片幅３０ｍｍの方に折り返してフィルムが１８０°折り返されるようにする。
試験片の３０ｍｍ幅の部分を引張り試験機に取り付けた治具に差込み、試験片幅１５ｍｍの部分をもう一方の引張り試験機の掴み部に取り付ける。
室温下で引張り速度２０ｍｍ／ｍｉｎ．でフィルムの１８０°剥離強度を測定する。レトルト処理後の試験片については、剥離試験中にフィルムと鋼板が剥離する部分に注射器で水を垂らしながら、剥離試験を行う、ウェット状態のフィルムピール（剥離）強度を測定した。
【００４２】
６．製缶
フィルムラミネート鋼板の両面にワックス系潤滑剤を塗布し、プレスにより直径１５５ｍｍの円板を打抜き、浅絞りカップを得る。次いでこの浅絞りカップを、ストレッチアイアニング加工を行いカップ径５２ｍｍ、カップ高さ１３８ｍｍ、缶側壁部の平均板厚減少率１８％のカップを得た。このカップを、フィルム歪取りのために２１５℃にて熱処理を行った後、さらに印刷焼付相当の２００℃の熱処理を行い、缶特性評価用の試料を作製した。
【００４３】
７．製缶品レトルト処理
前項に示した製缶品の一部をレトルト処理用の蒸気釜に入れ、１２５℃で９０分間レトルト殺菌処理を行った。
【００４４】
８．鉄溶出量測定
缶内にアルカリイオン清涼飲料水（例えば日本コカコーラ社製アクエリアス）を缶上部まで満たし、恒温槽中で３７℃・７日間加温処理した後、恒温槽から取り出して、缶内のアクエリアスを捨てる。
次に缶の缶高さ２５ｍｍ位置と７５ｍｍ位置の鋼板圧延方向（０°方向）と９０°方向の缶壁位置に、それぞれ別々の缶を使用して、５℃環境下でデュポン衝撃試験（錘重量１ｋｇ、錘落下高さ４０ｍｍ、衝撃圧子先端径Φ１６ｍｍ）を行う。
デュポン衝撃後の缶に再度アクエリアスを満たし、５０℃の恒温槽中で７日間置いた後、缶内のアクエリス中に溶出した鉄量を原子吸光法により測定した。
充填前のアクエリアス中の鉄量と溶出試験後のアクエリアス中の鉄量差を１缶分の鉄溶出量（ｍｇ／Ｌ）とした。
試験数は各デュポン衝撃位置について３缶とし、デュポン衝撃位置４箇所分の鉄溶出量の総平均（１２缶分）を１水準当りの鉄溶出量とした。
【００４５】
９．プレコート鋼板作製
実施例および比較例で下地処理まで行った鋼板の表面に、バーコーターを使用して、缶用エポキシ塗料（大日本インキ化学工業(株)製のサイジングニスＰＧ−８００−８８）を片面２５ｇ／ｍ２塗布した後、焼付乾燥炉で１８０℃、１０分間焼付処理を行う。
【００４６】
１０．塗料密着性評価用Ｔピール試験片作製
２枚のプレコート鋼板の塗装面どうしをエチレンアクリル酸（ＥＡＡ）接着フィルム（０．１ｍｍ厚）を介してホットプレスで熱圧着（２００℃、６０秒、１ＭＰａ）する。熱圧着後、試験片を冷却してから、幅１０ｍｍ、長さ１５０ｍｍの接着試験片を切り出し、接着試験片長の約５０ｍｍ分を予め引張試験時の掴み代として剥離させ、Ｔピール試験片を作製する。
【００４７】
１１．塗料密着性評価（Ｔピール試験）
予め剥離しておいた掴み代部を引張り試験機の掴み部に挟み込み、接着部１００ｍｍ分を室温下で引張り速度２０ｍｍ／ｍｉｎ．でＴピール強度を測定し、塗料密着性を評価した。
表１および表２に実施例、比較例に使用した鋼板の表面処理条件を示す。レトルト処理後の試験片については、剥離試験中に塗膜と鋼板が剥離する部分に注射器で水を垂らしながら、剥離試験を行う、ウェット状態のＴピール（剥離）強度を測定した。
【００４８】
【表１】
0005091803.tif 000002
【００４９】
【表２】
0005091803.tif 000003
【００５０】
【表３】
0005091803.tif 000004
【００５１】
表４には、表１、表２の条件で処理した板を使用してフィルムラミネート鋼板を作製し、フィルムの初期密着力、および、レトルト処理後の密着力、および、製缶品の鉄溶出量を示す。
【００５２】
【表４】
0005091803.tif 000005
【００５３】
表５には、表１、表２の条件で処理した板を使用してプレコート鋼板を作製し、エチレンアクリル酸接着フィルムで塗装面どうしを熱圧着したＴピール試験片の初期密着力、および、レトルト処理後のウェット状態での密着力を示す。
【００５４】
【表５】
0005091803.tif 000006
【００５５】
実施例１、９は、すずめっき鋼板表面の酸化すずをNaHCO3水溶液中で陰極電解処理して０．７ｍｃ／ｃｍ２のレベルまで除去したすずめっき鋼板を更に、H2Zr(OH)2(SO4)2 水溶液（0.5g/l）中で陰極電解処理して、ジルコニウム化合物皮膜をすずめっき上に生成させた鋼板であり、表４、表５に示したようにフィルムラミネート鋼板としての初期およびレトルト処理後のフィルム密着性、および、プレコート鋼板としての塗料密着性に優れていることが分る。
【００５６】
また、実施例１のラミネート鋼板製缶品の鉄溶出量は、比較例６に示した現行主流のティンフリー鋼板を使用したフィルムラミネート鋼板のものより少なく、良好である。
なお、実施例１、９は新造した循環セル槽を用いて試験した例であり、下地剤皮膜中にフッ素、窒素の残留がないことを確認した。
【００５７】
実施例２、３、１０，１１は、すずめっき鋼板表面の酸化すずをH2SO4水溶液中で浸漬処理して１．５〜３．５ｍｃ／ｃｍ２のレベルまで除去したすずめっき鋼板を更に、H2Zr(OH)2(SO4)2 水溶液（0.5g/l）中で陰極電解処理して、ジルコニウム化合物皮膜をすずめっき上に生成させた鋼板であり、表４、表５に示したようにフィルムラミネート鋼板としての初期およびレトルト処理後のフィルム密着性、および、プレコート鋼板としての塗料密着性に優れていることが分る。
また、実施例２、３のラミネート鋼板製缶品の鉄溶出量は、比較例６に示した現行主流のティンフリー鋼板を使用したフィルムラミネート鋼板のものより少なく、良好である。
【００５８】
実施例４、５、１２、１３は、すずめっき鋼板表面の酸化すずをNaHCO3水溶液中で陰極電解処理して０．７ｍｃ／ｃｍ２のレベルまで除去したすずめっき鋼板を更に、H2Zr(OH)2(SO4)2水溶液（0.5g/l）中で陰極電解処理して、ジルコニウム化合物皮膜をすずめっき上に生成させた鋼板であるが、従来、他の処理浴用に使用していた循環セル槽を用いたため、下地剤皮膜中にフッ素、または、窒素が微量に存在していることが確認された。ただし、下地剤皮膜中にフッ素、または、窒素が微量に存在していても、表４、表５に示したようにフィルムラミネート鋼板としての初期およびレトルト処理後のフィルム密着性、および、プレコート鋼板としての塗料密着性には影響は見られなかった。
【００５９】
実施例６、１４は、すずめっき鋼板表面の酸化すずをNaHCO3水溶液中で陰極電解処理して０．７ｍｃ／ｃｍ２のレベルまで除去したすずめっき鋼板を更に、H2Zr(OH)2(SO4)2 水溶液（0.5g/l）中で40秒間陰極電解処理して、ジルコニウム化合物皮膜をすずめっき上に３０ｍｇ／ｍ２生成させた鋼板であるが、表４、表５に示したようにフィルムラミネート鋼板としての初期およびレトルト処理後のフィルム密着性、および、プレコート鋼板としての塗料密着性の大幅な低下は見られなかった。
【００６０】
実施例７、１５は、すずめっき鋼板表面の酸化すずをNaHCO3水溶液中で陰極電解処理して０．７ｍｃ／ｃｍ２のレベルまで除去したすずめっき鋼板を更に、H2Zr(OH)2(SO4)2 水溶液（0.5g/l）中で陰極電解処理して、ジルコニウム化合物皮膜をすずめっき上に生成させた後、８０℃の温水で１０秒間浸漬洗浄した鋼板である。ジルコニウム化合物皮膜中の硫酸根（SO42-）が０．２ｍｇ／ｍ２であり、表４、表５に示したようにフィルムラミネート鋼板としての初期およびレトルト処理後のフィルム密着性、および、プレコート鋼板としての塗料密着性は良好であった。
【００６１】
実施例８、１６は、すずめっき鋼板表面の酸化すずをNaHCO3水溶液中で陰極電解処理して０．７ｍｃ／ｃｍ２のレベルまで除去したすずめっき鋼板を更に、H2Zr(OH)2(SO4)2 水溶液（0.5g/l）中で陰極電解処理して、ジルコニウム化合物皮膜をすずめっき上に生成させた後、２秒間水洗した鋼板であり、ジルコニウム化合物皮膜中の硫酸根（SO42-）は５ｍｇ／ｍ２であったが、表４、表５に示したようにフィルムラミネート鋼板としての初期およびレトルト処理後のフィルム密着性、および、プレコート鋼板としての塗料密着性は良好であった。
【００６２】
比較例１、１１は、すずめっき鋼板表面の酸化すずをH2SO4水溶液中で浸漬処理し、酸化すず層を３．８ｍｃ／ｃｍ２まで除去した鋼板を、H2Zr(OH)2(SO4)2 水溶液（0.5g/l）中で陰極電解処理して、ジルコニウム化合物皮膜をすずめっき上に生成させた鋼板である。
酸化すず層が３．５ｍｃ／ｃｍ２より多く残存していると、表４、表５に示すようにフィルムラミネート鋼板としてのレトルト処理後のフィルム密着性、および、プレコート鋼板としての塗料密着性が悪くなることが分る。
【００６３】
比較例２、１２は、未処理のすずめっき鋼板（酸化すず層４．４ｍｃ／ｃｍ２）を、H2Zr(OH)2(SO4)2 水溶液（0.5g/l）中で陰極電解処理して、ジルコニウム化合物皮膜をすずめっき上に生成させた鋼板である。
比較例１、１１同様、酸化すず層が３．５ｍｃ／ｃｍ２より多く残存していると、表４、表５に示すようにフィルムラミネート鋼板としてのレトルト処理後のフィルム密着性、および、プレコート鋼板としての塗料密着性が悪くなることが分る。
【００６４】
比較例３、１３は、すずめっき鋼板表面の酸化すずをNaHCO3水溶液中で陰極電解処理して０．７ｍｃ／ｃｍ２のレベルまで除去したすずめっき鋼板を更に、H2Zr(OH)2(SO4)2 水溶液（0.5g/l）中で６０秒間陰極電解処理して、ジルコニウム化合物皮膜をすずめっき上に３２ｍｇ／ｍ２生成させた鋼板であり、表４、表５に示すようにフィルムラミネート鋼板としてのレトルト処理後のフィルム密着性、および、プレコート鋼板としての塗料密着性が悪くなることが分る。
【００６５】
比較例４、１４は、すずめっき鋼板表面の酸化すずをNaHCO3水溶液中で陰極電解処理して０．７ｍｃ／ｃｍ２のレベルまで除去したすずめっき鋼板を更に、H2Zr(OH)2(SO4)2 水溶液（0.5g/l）中で陰極電解処理した後、ジルコニウム化合物皮膜をすずめっき上に生成させた鋼板であるが、水洗時間が短かったため、ジルコニウム化合物皮膜中に硫酸根（SO42-）が７．５ｍｇ／ｍ２残存していた例である。表４、表５に示すようにジルコニウム化合物皮膜中に硫酸根（SO42-）が７ｍｇ／ｍ２より多く残存しているとフィルムラミネート鋼板としてのレトルト処理後のフィルム密着性、および、プレコート鋼板としての塗料密着性が悪くなることが分る。
【００６６】
比較例５、１５は、現行のクロメート処理を施したすずめっき鋼板の例である。表４、表５に示すようにフィルムラミネート鋼板としての初期およびレトルト処理後のフィルム密着性に優れていることが分る。しかし、下地処理がクロメート皮膜であるため、クロメートフリー鋼板ではない。
【００６７】
比較例６、１６は、現行のティンフリー鋼板の例であり、表４、表５に示すようにフィルムラミネート鋼板としての初期およびレトルト処理後のフィルム密着性には優れているが、金属クロムおよびクロメート皮膜を有していることからクロメートフリー鋼板ではない。また、すずめっき鋼板を使用したものに比べると製缶品の鉄溶出量が多いことが分る。その他、ＴＦＳでは、処理液中にフッ化物を含むため、廃液のフッ化物無害化処理が必要であるが、クロメート皮膜中に残留しているフッ化物に関しては、５ｍｇ／ｍ２以下であり、レトルト後のフィルム密着性には影響がないレベルである。
【００６８】
比較例７、１７は、すずめっき鋼板表面の酸化すずをNaHCO3水溶液中で陰極電解処理して０．７ｍｃ／ｃｍ２のレベルまで除去したすずめっき鋼板を更に、リン酸塩水溶液中で陽極電解処理してリン化合物皮膜を形成させた鋼板である。表４、表５に示すようにリン化合物皮膜処理では、フィルムラミネート鋼板としてのレトルト処理後のフィルム密着性、および、プレコート鋼板としての塗料密着性が悪くなることが分る。
【００６９】
比較例８、１８は、すずめっき鋼板表面の酸化すずをNaHCO3水溶液中で陰極電解処理して０．７ｍｃ／ｃｍ２のレベルまで除去したすずめっき鋼板を更に、シランカップリング処理してシランカップリング剤の皮膜を形成させた鋼板である。表４、表５に示すようにシランカップリング処理では、フィルムラミネート鋼板としての初期およびレトルト処理後のフィルム密着性、および、プレコート鋼板としての塗料密着性があまり良く無いことが分る。
【００７０】
比較例９、１９は、すずめっき鋼板表面の酸化すずをNaHCO3水溶液中で陰極電解処理して０．７ｍｃ／ｍ２のレベルまで除去したすずめっき鋼板を更に、Ce(NO3)3(30g/L)中で陰極電解処理して、セリウム化合物皮膜をすずめっき上に生成させた鋼板である。
表４、表５に示したようにフィルムラミネート鋼板としての初期およびレトルト処理後のフィルム密着性は良好であるが、クロメートフリー処理薬液中に硝酸を含有しており、硝酸性窒素の廃液処理が必要となるため、クロメートフリー処理薬液としては望ましくない。
【００７１】
比較例１０、２０は、すずめっき鋼板表面の酸化すずをNaHCO3水溶液中で陰極電解処理して０．７ｍｃ／ｃｍ２のレベルまで除去したすずめっき鋼板を更に、H2Zr(OH)2(SO4)2 水溶液（0.5g/l）中で１秒間陰極電解処理して、ジルコニウム化合物皮膜をすずめっき上に０．９ｍｇ／ｍ２生成させた鋼板であり、表４、表５に示すようにフィルムラミネート鋼板としてのレトルト処理後のフィルム密着性、および、プレコート鋼板としての塗料密着性が悪くなることが分る。
【図面の簡単な説明】
【００７２】
【図１】すずめっき表面の酸化すず量とジルコニウム換算の皮膜付着量を示すグラフである。
【図２】残存酸化すず量がフィルム剥離強度に与える影響を示すグラフである。
【図３】ジルコニウム化合物皮膜付着量とレトルト後のウェットＴピール強度の関係を示すグラフである。
【図４】ジルコニウム化合物皮膜中の残留硫酸根（SO42-）量とレトルト後のウェットＴピール強度の関係を示すグラフである。
【図５】硫酸ジルコニウム水溶液濃度とジルコニウム換算のジルコニウム化合物皮膜付着量の関係を示すグラフである。
【図６】硫酸ジルコニウム水溶液濃度とジルコニウム化合物皮膜外観（ムラ）の関係を示すグラフである。
【図７】実施例におけるフィルム剥離強度測定用の試験片の説明図である。
【図１】
0005091803.tif 000007
【図２】
0005091803.tif 000008
【図３】
0005091803.tif 000009
【図４】
0005091803.tif 000010
【図５】
0005091803.tif 000011
【図６】
0005091803.tif 000012
【図７】
0005091803.tif 000013